(57)【要約】【課題】建具金枠等の撤去新替え工事を短時間で経済的且つ容易に行う新規な工法を考察した結果、既存枠撤去に伴う周辺壁床等えの影響と新規枠の装着形態と手順等と更に装着強度を得るための確実性等に付いて以下の如き工法を開発する事とした。【解決の手段】工事施工上の容易性と着脱手間を考慮した断面形状の枠を戸当たり後部で縦方向に二分割し、更に下枠に三方枠を上乗せ型とした先付け型と三方枠装着後下枠を嵌め込む落し込み型に分け使用し、新規枠の前側三方枠のみを特殊アンカープレートと予め設置したアンカーボルトとを連節係止し、戸当たり後部の縦枠と上枠及び下枠をそれぞれ嵌合具を用いてワンタッチで着脱し新規枠の更新を短時間の作業に依り行う事ができる新規な工法を提供する。【選択図】　図１
2004060415.tif 000002
【特許請求の範囲】
【請求項１】
建具の改装に於ける金枠等の係止を容易に行う為、扉装着側枠と戸当たり後部の枠材並びに下枠材等の枠材を嵌合具（バックル）を用いた着脱可能な分離式とし、新規枠の装着時には一旦戸当たり後部の枠材並びに下枠材を扉装着側枠から外した扉装着側枠の三方枠のみを所定位置に嵌め込み係止した後戸当たり後部の枠材並びに下枠材を順次連節係止すれば新規金枠を装着できる事を特徴とした改装用金枠と係止方法。
【請求項２】
請求項１に記載した下枠端部を縦枠外側両端部まで延長し小口に水返し板を付け、装着は一旦組枠から全体を外し前枠のみを所定位置に係止してから後枠を嵌込み延長した下枠上面に縦枠を前面から擦り付け装着した先付け型と三方枠装着後縦枠内面上部から落し込み嵌合係止する落し込み型の二種類に分類し、内外部等で水処理の可否等の用途に応じて使い分られる事を特徴とした改装用金枠と係止方法。
【請求項３】
請求項１、２に記載の新規金枠等は扉装着側枠の連節係止位置に予めアンカーボルトを装着し、戸当たり後部の枠材を外した扉装着側枠裏面の所定位置に装着した複数のアンカープレートのボルト装着溝にそれぞれ差し込み据え付け表裏に座金を飼い位置調整ナット並びに固定ナットを締め付け係止し、引き続き戸当たたり後部の各部材を装着して新規枠を組成できる事を特徴とした改装用金枠と係止方法。
【請求項４】
請求項１、２、３に記載の新規枠の連節係止を容易に行う為一旦分離再取り付けを可能とした嵌合具（バックル）は雄具と雌具から成り、相互の材の裏面所定位置の一方に例えば雌具を相対する材に嵌合する雄具を装着すれば、一組の新規枠を組成できる事を特徴とした改装用金枠と係止方法。
【発明の詳細な説明】
【０００１】
【発明の属する技術的分野】本発明は、建具金枠等の新替時に於いて周辺壁床等と枠との接続処理方法と改修現場での火気の使用禁止される場合が多く撤去装着の合理的方法が見当たらず新規な工法が求められている。
【０００２】其処で新規枠の係止方法を合理化し、設置作業を容易に行う為の方法として、新規枠の下枠と扉装着側枠の下枠以外の戸当たり後部の上枠、両サイドの縦枠の三方を各部材の裏面に装着した嵌合具を用いた着脱可能方式とし装着作業時は下枠と三方の枠を一旦扉装着側枠から取り外し、
【０００３】下枠は装着条件により二種類を使い分け、先付け型は縦枠外側端部迄下枠全体を延長し端部に水返し板を張り浸入水を止め縦枠は下枠上面に前面から擦り付け連節係止し、落し込み型は三方枠を装着後縦枠内面に沿い落し込み、それぞれ嵌合具を用いワンタッチで装着する事ができる。
【０００４】現場作業を容易に行う為、戸当たり後部の各枠材を一旦外し、縦枠と上枠を組んだ三方枠裏面の適所に予め取り付けられている連節係止用のアンカープレート等の取り付け作業を行い易くした後、三方枠を前方から差し込みアンカープレートの係止溝に予め設置したアンカーボルトを挟み込み複数の座金、ナット等を用い連節係止すれば扉装着側の三方枠の装着が容易に行なえ、
【０００５】三方枠の装着を安定させる為、連節係止用のアンカープレートとアンカーボルトを包み込む形態で急結材料等を詰め込み連節係止し、
【０００６】一旦取り外した戸当たり後部の上枠、両サイドの縦枠の三方を各部材の裏面に装着した嵌合具の雄又は、雌具を扉装着側の三方枠の相対する雄又は、雌具とを嵌合すれば瞬時に新規三方枠を形成する事ができ、
【０００７】三方枠の両縦枠最下部に取り付けた嵌合具と関連部品等と相対する下枠嵌合具の雌雄を嵌め込み係止し三方枠と下枠の連節係止ができる。
【０００８】
【従来の技術】既存枠を撤去し新規枠を取り付ける場合は周辺壁床等の枠との接触部四周のモルタル等をコンクリート破砕機等を用いて粉砕除去しアンカー金具等を切離し新規枠を適当な方法で壁床等の構造体と接続した後、周辺壁床等を補修し新規枠を設置している現状であり、
【０００９】撤去に伴ない発生する夥しい騒音、粉塵等の工事公害と補修に掛かる時間と費用等をユーザーに押し付けている現状であり、居住者が在宅のまま工事開始当日の内に全ての施工を終了させる事は到底できない。
【００１０】
【発明が解決しようとする課題】本発明は、課題を解決する方法として先ず更新する新規枠１の装着作業を行い易くする為、従来の金枠形成形態とは異なる扉装着側枠１１を形成する両サイドの縦枠１１１と上枠１１２の三方枠Ａと、下枠１３は縦枠１１１、１１２外側迄延長した先付け型Ｂと同内側に沿い落し込み型Ｃを使い分け、いずれも装着作業時には一旦取り外せる形態とし、
【００１１】新規枠１の装着作業は先ず三方枠Ａとした扉装着側枠１１を連節係止した後に一旦取り外した戸当たり後側の枠材１２と下枠１３の扉装着側下枠１３１と戸当たり後側下枠１３２を再取り付けし、
【００１２】扉装着側枠１１と戸当たり後側の枠材１２とを取り外し再取り付けが可能な嵌合具セット５を用い部品の一方を扉装着側枠１１の所定位置に、相対するもう一方の部品を戸当たり後側の枠材１２に装着し、必要に応じて引き外し又は、押し込み接続し任意に着脱できる嵌合具セット５を装着して三方枠Ａを形成できる。
【００１３】下枠１３の先付け型Ｂ、落し込み型Ｃ共扉装着側下枠１３１と戸当たり後側下枠１３２に分割形成し、扉装着側下枠１３１にはその他のアンカープレート４と嵌合具５と先付け型Ｂ両端部には止水板１３３そして落し込み型Ｃ両端部には嵌合具受け１３４を装着しそれぞれ用途に応じ使い分け、先付け型Ｂは先ず新規金枠１から下枠１３を外し扉装着側下枠１３１を所定位置に据え付け続いて戸当たり後側の枠材１３２扉装着側枠１１と戸当たり後側の枠材１２とから成る三方枠Ａを取り付けた後に嵌合具セット５を用いて同様手法によりワンタッチで縦枠１１１最下部に装着すれば新規枠１が形成される。
【００１４】新規枠１の装着作業を容易に行う為の方法として、先ず嵌合具セット５を外し戸当たり後側枠１２と下枠１３外した三方枠Ａのみを予め装着したアンカーボルト６を扉装着側枠１１に装着した複数のアンカープレート３、４のボルト係止用溝３１、４１に挿入し、複数の座金６２と調整ナット、締め付けナット６１を使用し定位置に連節係止し、急結材等を用いてアンカーボルト６とアンカープレート３、４周辺を強固に固定した後、取り外した戸当たり後側枠１２と下枠１３等一式を嵌合具セット５の雌雄部品をワンタッチで嵌め込めば新規枠１を形成した状態となり短時間の作業により更新が可能となる。
【００１５】アンカーボルト６の装着位置の構造体内の鉄筋等の障害物を予想して挿入孔を設けるドリル刃はこれらの障害物を嫌う事なく削孔できる特殊なドリル刃（例えばヒルテイダイヤモンドドリルＥＣ−１等）を用い削孔装着すれば、ボルト係止用溝３１、４１に正確に固定できる。
【００１６】三方枠Ａとした扉装着側枠１１に取り付けた複数のアンカープレート３は扉吊り込み用の丁番補強裏板一体化アンカープレート３を使用する事により扉の重量と運動荷重を直に構造体に伝達できる極めて効果的なアンカープレート３であり、その他のアンカープレート４の装着位置に於いても特に必要な位置を自在に選択し装着できる特徴を備えた工法である。
【００１７】装着したこれら複数のアンカープレート３、４の定着を一層強固にするため、急結材料等を周辺に詰め込み更に定着を固め、その他の空隙部も同様材料を充填した後、
【００１８】三方枠Ａの装着に先立ち取り外した後部の枠材１２と下枠１３の各部材一式を嵌合具セット５の雌雄いずれかをワンタッチでそれぞれの部位に嵌め込めば直ちに新規枠１を形成し装着できる新規な工法である。
【００１９】
【課題を解決するための手段】三方枠Ａとした扉装着側枠１１と戸当たり後側枠１２と下枠１３とを接続する各枠材裏側に嵌合具雌雄５１、５２の片方を取り付け、必要に応じて取り付け取り外しが自在にできる方式とし、新規枠１の装着作業が容易に施工し易い体制とする為、一旦戸当たり後側枠１２と下枠１３を現場に於いて取り外せば、扉装着側枠１１の裏側が露出した状態となり複数のアンカープレート３、４と予め挿入固定したアンカーボルト６の接続固定作業と壁床等との空隙部への中詰め材等を充填する作業等も行い易いうえ、枠の見掛部に小螺子等が現れず体裁良く収められる。
【００２０】下枠１３の先付け型Ｂ両端部には止水板１３３を落し込み型Ｃ両端部には嵌合具受け１３４を装着し、先付け型Ｂは先ず組枠から下枠１３を外し扉装着側下枠１３１に取り付けたその他のアンカープレート４アンカーボルト６とを接続係止し急結材等を用いて固定し戸当たり後側下枠１３２を嵌め込んだ後、三方枠Ａを下枠１３上面に擦り付け嵌合具５を嵌め込み新規枠１となる。
【００２１】下枠１３の落し込み型Ｃは三方枠Ａを装着した後、三方枠Ａの扉装着側縦枠１１１の内側裏面下端部に装着した嵌合具受け１３４に向け内面に沿い上部から擦り付け嵌め込むと共にその他のアンカープレート４アンカーボルト６とを接続係止し急結材等を用いて固定し戸当たり後側下枠１３２を嵌め込み下枠１３を据え付ける。
【００２２】新規枠１と壁床イ、ロ、ハ等の構造体とを連節係止するアンカープレート３は扉吊り込み用の丁番補強裏板を一体化した形状のものと、その他の必要部位に取り付ける一般型の２種類としそれぞに所定の位置にスポット溶接３２等により取り付け、アンカーボルト６と締結する略長四角の溝３１、４１を先端部に設け、扉装着側枠１１取り付け挿入に際し所定位置に於いてアンカーボルト６を挟み込むと同時にプレート両面に複数の座金６２を挟み高さ調調整ナット６１により高さ位置を決め、締め付けナット６１１により強固に締め付ければ、予め挿入固定したアンカーボルト６とアンカープレート３は一体化して扉の重量と運動荷重等を直に構造体に伝達できると同時にその他のアンカープレート４も同様有効に構造体に応力を伝達する事ができる。
【００２３】三方枠Ａ扉装着側枠１１の枠材裏側の見え隠れ部位と戸当たり後側枠１２の裏側の見え隠れ部位及び、両サイドの縦枠１１１と下枠１３とのそれぞれの接続部位に嵌合具５の雌雄５１、５２いずれかを装着し、必要に応じて取り付け取り外しが自在にできる方式とする事により新規金枠１の装着作業を施工し易く迅速に行う方法として一旦戸当たり後側枠１２と下枠１３を取り外せば、アンカーボルト６とアンカープレート３の接続作業が容易に行える他、中詰め係止が容易に行える他、中詰め材等の詰め込みや充填を行い易くする空間が確保でき、これらの施工を済ませた後、取り外した枠材等を再度取り付ければ新規枠１を短時間の作業で更新できる。
【００２４】
【発明実施の形態】以下、図面に従って本発明を具体的に説明すれば、図１は扉装着側縦枠１１１、を例に扉吊り込み用丁番補強裏板と一体化した形状のアンカープレート３とその他のアンカープレート４のスポット溶接３２と先端部のアンカーボルト６挿入用の略長四角の溝３１、４１とアンカーボルト６とナット６１、６１１並びに座金６２等の装着状況の概略と嵌合具セット（バックル）雌雄５１、５２の装着状況の概略を表現した斜視図であり、
【００２５】図２は扉吊り込み用丁番補強裏板と一体化した形状のアンカープレート３とその他のアンカープレート４のスポット溶接３２と先端部のアンカーボルト６挿入用の略長四角の溝３１、４１とアンカーボルト６とナット６１、６１１並びに座金６２等の装着状況の概略を表現した平面と断面図である。
【００２６】図３は嵌合具セット（バックル）雌雄５１、５２の平面と断面概要図である。
【００２７】図４は下枠１３の先付け型Ｂと落し込み型Ｃの片側を表現した斜視図であり、先付け型Ｂの端部に止水板１３３を扉装着側縦枠１１１の内側裏面下端部に装着した嵌合具受け１３４と落し込み型Ｃの端部に嵌合具５を装着した状況を表現している。
【発明の効果】本発明は、建具金枠等の撤去新替えに伴う工事を容易に行う為の新規な工法として、新規枠の組成形態を工事の施工を考慮して枠の断面形状を戸当たり前後で二分割にして加工製造した形態としたうえ、戸当たり後側枠材と下枠を一旦外し、先ず前側三方枠のみを装着する事とし枠材裏面の適所に丁番補強裏板を一体化したアンカープレートとその他の部位用のアンカープレートを所定の位置にスポット溶接する一方先端部に略長四角の溝を設け予め装着したアンカーボルトを同溝部に挟み込み複数の座金とナットを使用しアンカープレートとアンカーボルト締結し、周辺を急結材等の中詰め材により強固に固めたうえ、枠の接続を枠材裏面に於いて容易に取り付け取り外しができる嵌合具セット（バックル）を使用する事で小螺子頭部等が枠材表面に露出する事なくしかも迅速に着脱でき短時間の作業時間で新規枠と更新できる新規な工法である。
【図面の簡単な説明】
【図１】新規枠の裏側部分斜視図で丁番補強裏板一体型アンカープレートとその他のアンカープレート及び嵌合具（バックル）雌雄の各具の形状と装着形態を表現した斜視図である。
【図２】新規枠裏側に装着した丁番補強裏板一体型アンカープレートとその他のアンカープレート及びアンカーボルト座金、ナット等の概略を示す平面及び断面略図である。
【図３】新規枠裏側に装着した嵌合具セット（バックル）雌雄の各具の形状と略図である。
【図４】先付型Ｂであり下枠端部に張り付けた止水板と嵌合具の雄具を上面に装着係止した後、三方枠の縦枠を前方から擦り付ける形態で三方枠内面に装着した雌具と嵌合し新規枠を形成した斜視略図である。
【図５】落し込み型Ｃであり下枠上面下部の端部に嵌合具の雄具を装着し、縦枠下部内面に沿って下枠を落し込み同部内側端部に装着した嵌合具の雌具とを嵌合し新規枠を形成した斜視略図である。
【符号の説明】
イ　　　外側壁
ロ　　　内側壁
ハ　　　床
Ａ　　　三方枠
Ｂ　　　先付け型
Ｃ　　　落し込み型
１　　　新規枠
１１　　扉装着側枠
１１１　　　〃　縦枠
１１２　　　〃　上枠
１２　　戸当たり後側枠
１２１　　　〃　　　縦枠
１２２　　　〃　　　上枠
１３　　下枠
１３１　扉装着側下枠
１３２　戸当たり後側下枠
１３３　止水板
１３４　嵌合具受け
３　　　丁番補強裏板一体型アンカープレート
３１　　略長四角の溝
３２　　スポット溶接
３３　　螺子孔
４　　　その他のアンカープレート
４１　　略長四角の溝
５　　　嵌合具セット（バックル）
５１　　　　〃　　　雌具
５２　　　　〃　　　雄具
６　　　アンカーボルト
６１　　ナット
６２　　座金
【図１】
2004060415.tif 000003
【図２】
2004060415.tif 000004
【図３】
2004060415.tif 000005
【図４】
2004060415.tif 000006
【図５】
2004060415.tif 000007